(57)【特許請求の範囲】
【請求項１】
通信網を構成するノードの個々の保守、運用、監視および制御の全てもしくは一部に適用されるべき情報が登録されたデータベースと、
前記データベースを構成する単一または複数のレコードからなる集合毎に、対応するレコードとそのレコードに含まれる個々のフィールドとを直接あるいは間接的に示すアドレッシング情報が予め登録された副データベースと、
前記副データベースを構成するレコードの内、所定のフィールドの値が前記保守、運用、監視および制御の全てもしくは一部の対象となるべき資源の属性に対応したレコードに含まれ、その資源に対応するフィールドの値として与えられるアドレッシング情報を取得し、このアドレッシング情報で示される前記データベースのレコードおよびフィールドの参照を伴う処理を前記通信網の管理として行う管理手段と
を備えたことを特徴とする網管理装置。
【請求項２】
請求項１に記載の網管理装置において、
データベースは、
通信網を構成する複数Ｎのレイヤの全てまたは一部に個別に対応した複数ｎのデータベースとして構成され、
副データベースは、
前記複数ｎのレイヤに個別に対応した複数ｎの副データベースとして構成され、
管理手段は、
前記複数ｎのレイヤの内、保守、運用、監視および制御の全てもしくは一部の対象となる個々のレイヤに対応したデータベースおよび副データベースを参照する
ことを特徴とする網管理装置。
【請求項３】
請求項１または請求項２に記載の網管理装置において、
副データベースには、
データベースを構成するレコードの内、アドレッシング情報の全てあるいは一部で示されるレコードの何れかのフィールドに格納される情報の正否の判別に適用されるべき基準が登録され、
管理手段は、
参照したフィールドと、そのフィールドを含むレコードとに対応して前記副データベースに登録された基準に基づいてこのフィールドの値の正否を判別し、この判別の結果に適応した処理を行う
ことを特徴とする網管理装置。
【発明の詳細な説明】
【０００１】
【発明の属する技術分野】
本発明は、通信網において、その通信網を構成するノードあるいは局舎毎に個別に行われるエレメント管理の結果を収集し、この結果に所定の処理を施すことによって、所望のサービスの提供に要する基盤を総合的に維持する網管理装置に関する。
【０００２】
【従来の技術】
近年、通信網には高度に進展した伝送技術および情報処理技術が適用され、これらの通信網の加入者とトラヒックとは、市場の自由化に並行して図られる通信サービスの多様化に応じて急速に増加しつつある。
このような通信網では、保守・運用および監視・制御にも上記の伝送技術および情報処理技術が積極的に適用されることによって、網オペレーションの効率化と低廉化とが図られ、かつサービス品質が高く維持されている。
【０００３】
図７は、網オペレーションを実現する監視制御系の構成例を示す図である。
図において、集中局５０には、ＬＡＮ５１に接続された通信ポートを個別に有する集中監視装置５２、集中制御装置５３および網管理装置５４に併せて、その網管理装置５４に接続されたデータベース５５および端末５６が備えられる。広域に亘って敷設され伝送路５７には、その伝送路５７の先行する伝送区間と後続する伝送区間とにそれぞれ接続され、かつ所望の通信制御を行う３組の伝送装置(５８-T1、５８-T2)、(５８-N1、５８-N2)、(５８-O1、５８-O2)がノードとして備えられる。なお、以下では、これらの３組の伝送装置(５８-T1、５８-T2)、(５８-N1、５８-N2)、(５８-O1、５８-O2)は、それぞれ「東京」、「名古屋」および「大阪」に設置されると仮定する。
【０００４】
「東京」には、上述した伝送装置５８-T1、５８-T2が備えられた局舎と同一あるいは異なる局舎にそれぞれ備えられ、これらの伝送装置５８-T1、５８-T2の対応する通信ポートと既述のＬＡＮ５１とにそれぞれ直結された３つの通信ポートを個別に有するローカル監視装置５９-Tおよびローカル制御装置６０-Tからなるローカル監視制御局６１-Tが設置される。
【０００５】
なお、「名古屋」および「大阪」には、それぞれ対応する伝送装置(５８-N1、５８-N2)、(５８-O1、５８-O2)と、ＬＡＮ５１とに接続された３つの通信ポートを個別に有するローカル監視制御局６１-N、６１-Oが設置される。これらのローカル監視制御局６１-N、６１-Oの構成については、上述したローカル監視制御局６１-Tの構成と同じであるので、以下では、対応する構成要素に添え文字「Ｔ」に代わる添え文字「Ｎ」、「Ｏ」が付加された同じ符号を付与することとし、ここでは、その説明を省略する。
【０００６】
このような構成の従来例では、集中局５０に備えられたデータベース５５は、図８(a)〜(c)に示すように、パス名称データベース５５Ｎ、区間情報データベース５５Ｓおよび収容情報データベース５５Ａから構成される。
パス名称データベース５５Ｎは、下記の各フィールドの組み合わせからなるレコードの集合として構成される。
【０００７】
・  区間情報データベース５５Ｓや収容情報データベース５５Ａとの間に形成されたリレーションに相当する「ＩＤ番号」フィールド
・  伝送装置５８-T1、５８-T2、５８-N1、５８-N2、５８-O1、５８-O2の間に形成されるパス（以下では、簡単のため、局内に形成される場合には「ジャンパ」と称し、局間に形成される場合には、「セクション」と称することとする。）毎に付与されたユニークな名称を示す「名称」フィールド
・  対応するパスの始端局の名称を示す「始端局」フィールド
・  対応するパスの終端局の名称を示す「終端局」フィールド
・  対応するパスに適応された伝送方式を示す「伝送方式」フィールド
・  対応するパスが冗長に構成された場合に、系構成の単位となる要素として付与されたユニークな識別情報を示す「系」フィールド
・  対応するパスに対して運用者によって付与され、かつ保守・運用や監視・制御の過程で適宜参照され、あるいは更新される識別子を示す「番号」フィールド
区間情報データベース５５Ｓは、下記の各フィールドの組み合わせからなるレコードの集合として構成される。
【０００８】
・  パス名称データベース５５Ｎに含まれるレコードとの間に形成されたリレーションに相当する「ＩＤ番号」フィールド
・  該当するパスの始端と終端との何れに対応するかを示す「始端／終端区分」フィールド
・  その始端あるいは終端に接続されたノードが設置された局を示す「設置局」フィールド
・  このノードの構成（型名）、あるいはそのノードの種別を示す「装置種別」フィールド
・  このノードが備えられた局舎内において、そのノードが位置するフロアを示す「フロア」フィールド
・  そのフロアに備えられた架の内、該当するノードが配置された架の識別子を示す「架番号」フィールド
・  対応する始端あるいは終端が該当するパスの高速側と低速側との何れに相当するかを示す「高／低区分」フィールド
・  対応する始端あるいは終端において該当するパスによって達成されるべき伝送速度を示す「ＩＦ種別」フィールド
・  上述した架に備えられたシェルフの内、該当する始端あるいは終端において該当するパスとのインタフェースをとるハードウエアが配置されるべきシェルフを示す「ＳＹＳ番号」フィールド
・  そのシェルフにおいてこのハードウエアが配置されたスロットの位置を示す「ＩＦ番号」フィールド
・  このハードウエアに付与されたユニークな識別子を示す「ＨＷ番号」フィールド
収容情報データベース５５Ａは、下記の各フィールドの組み合わせからなるレコードの集合として構成される。
【０００９】
・  パス名称データベース５５Ｎに含まれるレコードとの間に形成されたリレーションに相当する「ＩＤ番号」フィールド
・  該当するパスがそのパスの上位レイヤ（ジャンパやセクション）に収容される順位を示す「接続順」フィールド
・  該当するパスが収容される上位レイヤに対応する既述のＩＤ番号を示す「収容先ＩＤ番号」フィールド
・  該当するパスが収容された管理ユニットが属する管理ユニットグループに付与されたユニークな識別子を示す「ＡＵＧ番号」フィールド
・  この管理ユニットに付与されたユニークな識別子を示す「ＡＵ」フィールド・  該当するパスが収容されるトリビュタリユニットが属するトリビュタリユニットグループに付与されたユニークな識別子を示す「ＴＵＧ番号」フィールド・  上記のトリビュタリユニットに付与されたユニークな識別子を示す「ＴＵ」フィールド
集中局５０では、網管理装置５４に備えられたオペレーティングシステムは、端末５６を介してユーザが与える指示に応じて、ＨＣＩタスクを起動する（図９(1))。
【００１０】
ＨＣＩタスクは、その指示を所定の手順に基づいて解析することによって、この指示に応じてパス名称データベース５５Ｎ、区間情報データベース５５Ｓ、収容情報データベース５５Ａの何れかが参照（更新）されるべきか否かを判定する。
【００１１】
さらに、ＨＣＩタスクは、その判定の結果が真である場合に限って、上述した解析の結果として下記の項目を取得し、ネットワーク管理タスク宛に、プロセス間通信を利用することによって（例えば、メールボックスを介して）これらの項目を引き渡す（図９(2))。
・  パス名称データベース５５Ｎ、区間情報データベース５５Ｓ、収容情報データベース５５Ａの内、参照されるべきデータベースの組み合わせ
・  その組み合わせに属する個々のデータベースのレコードの内、参照されるべきレコードおよびフィールドの識別子
・  これらのフィールドに対して行われるべき参照の形態（読み出し、書き込み、更新等々）
・  この参照の過程で個々のフィールドに新たに設定されるべき値
ネットワーク管理タスクは、このようにして引き渡された項目に適応した処理を行う。したがって、パス名称データベース５５Ｎ、区間情報データベース５５Ｓ、収容情報データベース５５Ａの内容は、通信網の保守・運用および監視・制御の形態とその通信網の稼働状況とに適応した値に維持される。
【００１２】
また、ネットワーク管理タスクは、始動時に併せて、上述したようにパス名称データベース５５Ｎ、区間情報データベース５５Ｓ、収容情報データベース５５Ａの何れかの内容が更新された場合には、ＬＡＮ５１を介して集中制御装置５３宛にその旨を通知する。
集中制御装置５３は、この通知を識別すると、パス名称データベース５５Ｎ、区間情報データベース５５Ｓ、収容情報データベース５５Ａのレコードの内、その時点でローカル制御装置６０-T、６０-N、６０-O宛に個別に引き渡されるべき情報を含むレコードの列を抽出する。
【００１３】
なお、これらのレコードの列を抽出するために集中制御装置５３、網管理装置５４およびデータベース５５が連係して行うべき処理の手順については、本願発明の特徴ではないので、ここでは、その説明を省略する。
さらに、集中制御装置５３は、ＬＡＮ５１を介してそれぞれ該当するローカル制御装置６０-T、６０-N、６０-O宛に、これらの抽出されたレコードの列の内、対応するレコードの列を送出する。
【００１４】
なお、以下では、ローカル監視制御局６１-T、６１-N、６１-Oおよび伝送装置(５８-T1、５８-T2)、(５８-N1、５８-N2)、(５８-O1、５８-O2)に共通の事項については、簡単のため、添え文字「Ｔ」、「Ｎ」、「Ｏ」の何れにも該当し得ることを示す添え文字「Ｃ」を対応する構成要素の符号に付加して示すこととする。
【００１５】
ローカル監視制御局６１-Cでは、ローカル制御装置６０-Cは、上述したレコードの列を受信すると、これらのレコードの値を伝送装置５８-C1、５８-C2に与える。
伝送装置５８-C1、５８-C2の内部に個別に備えられたハードウエアの各部は、これらのレコードの値に適応した形態で稼働する。
【００１６】
したがって、パス名称データベース５５Ｎ、区間情報データベース５５Ｓ、収容情報データベース５５Ａの各レコードのフィールドの値が図８(a)〜(c)に示す通りである場合には、例えば、伝送装置５８-T1 から伝送装置５８-O2に至る伝送区間には、図１０に示すように、下記のＶＣ(Virtual Container)が形成される。
・  伝送装置５８-T1と伝送装置５８-O1との間に直列に形成されたジャンパＴ、セクションＴ、ジャンパＮおよびセクションＮに収容された「第一のＶＣ」
・  伝送装置５８-O1と伝送装置５８-O2との間に形成されたジャンパＯに収容された「第二のＶＣ」
・  伝送装置５８-T1と伝送装置５８-O2との間に形成され、かつ上述した「第一のＶＣ」と「第二のＶＣ」とに収容された「パスＶＣ−１１」
また、ローカル監視制御局６１-Cでは、ローカル監視装置５９-Cは、伝送装置５８-C1、５８-C2の各部の稼働状況およびこれらの伝送装置５８-C1、５８-C2の先行する伝送区間に形成されたＶＣやパスのトラヒックを所定の頻度で監視する。さらに、ローカル監視装置５９-Cは、ＬＡＮ５１を介して集中局５０宛に、この監視の結果を適宜通知する。
【００１７】
集中局５０では、集中監視装置５２は、このようにして通知された監視の結果を解析することによって、データベース５５の参照を伴う処理が施されるべき監視の結果（以下、「特定監視結果」という。）を判別する。
集中監視装置５２は、この特定監視結果を識別すると、下記の項目を求め、ＬＡＮ５１を介して網管理装置５４宛に、これらの項目を通知する。
【００１８】
・  該当する特定監視結果に基づいて参照されるべきデータベースの組み合わせ
・  これらのデータベースのレコードおよびフィールドの内、参照が行われるべきレコードおよびフィールドを示す識別子
・  この参照の過程で個々のフィールドに新たに格納されるべき値
網管理装置５４に設けられたオペレーティングシステムは、これらの通知された項目を起動要因としてネットワーク管理タスクを起動する（図９(3))。
【００１９】
ネットワーク管理タスクは、パス名称データベース５５Ｎ、区間情報データベース５５Ｓ、収容情報データベース５５Ａのレコードおよびフィールドの内、この起動要因に適合したレコードおよびフィールドを参照し、かつ必要に応じて更新する（図９(4))。
したがって、パス名称データベース５５Ｎ、区間情報データベース５５Ｓ、収容情報データベース５５Ａの内容は、端末５６を介してユーザによって与えられる指示と、伝送装置(５８-T1、５８-T2)、(５８-N1、５８-N2)、(５８-O1、５８-O2)および伝送路５７の各伝送区間の稼働状況とに応じて適宜更新され、その内容に適合したサービス管理、ネットワーク管理およびエレメント管理が安定に達成される。
【００２０】
なお、網管理装置５４および集中監視装置５２、集中制御装置５３と、ローカル監視装置５９-T、５９-N、５９-Oおよびローカル制御装置６０-T、６０-N、６０-OとがＬＡＮ５１を介して連係することによって達成され、かつ伝送装置(５８-T1、５８-T2)、(５８-N1、５８-N2)、(５８-O1、５８-O2)および伝送路５７の各伝送区間について行われる網オペレーションにかかわる処理の手順については、本願発明の特徴ではないので、以下では、その説明を省略する。
【００２１】
【発明が解決しようとする課題】
ところで、上述した従来例では、例えば、図１１に示すように、提供されるべき新たなサービスの形態として伝送装置１００-Tが伝送装置５８-T1 に代えて備えられ、その伝送装置１００-TにＤＳＵ(Digital ServiceUnit）１０１-Tが収容されると共に、下記の条件の全てが成立することが要求され得る。
【００２２】
・  伝送装置１００-TとＤＳＵ１０１-Tとの間に形成されたジャンパ（以下、「ジャンパｔ」という。）に、既述の第一のＶＣに併せて、パスＣ１１Ｐが収容される。
・  さらに、ＤＳＵ１０１-Tが始端（あるいは終端）に相当する専用線がそのパスＣ１１Ｐに収容される。
【００２３】
・  伝送装置１００-Tに接続されたジャンパＴとジャンパｔとの始端（あるいは終端）は、既述の「ＳＹＳ番号」および「ＨＷ番号」を含むことなく構成され、かつ伝送装置１００-Tの構成に適応した「ユニット番号」、「ブロック番号」および「ＩＦ番号」の組み合わせで定義される。
しかし、これらの「ユニット番号」および「ブロック番号」が格納されるべきフィールドは、図８(b) に示すように、区間情報データベース５５Ｓには含まれない。
【００２４】
したがって、既存のサービスに併せて、上述したサービスの提供も可能となるためには、例えば、図８(b) に点線の矢印で示すように、これらの「ユニット番号」および「ブロック番号」が格納されるべきフィールドが新たに付加されなければならなかった。
【００２５】
さらに、上述した専用線がパスＣ１１Ｐに収容されるためには、収容情報データベース５５Ａには、図８(c) に太線の矢印で示すように、そのパスＣ１１Ｐに付与されたユニークな「パス番号」と、そのパス上に形成されるチャネルを示す「チャネル番号」とが格納されるべきフィールドが新たに付加されなればならなかった。
【００２６】
すなわち、新たなサービスや伝送方式に適応するためには、データベース５５の構成および内容が更新され、かつネットワーク管理タスクによって行われる処理の内、そのデータベース５５の参照にかかわる処理は、これらの構成および内容に適応した処理として再構築されなければならなかった。
しかし、このようなデータベース５５の構成および内容の更新については、近年、通信網に要求される多様な形態の通信サービス、高速化およびサービスが早期に実現されるためには、的確に、かつ速やかに実施されなければならず、さらに、新規の伝送系だけではなく、既存の伝送区間においても並行して実施されなければならない。
【００２７】
また、既存の伝送区間については、運用者によって端末５６を介して設定され、かつデータベース５５に蓄積された資源である情報がそのデータベース５５の構成および内容の更新に際して確実に継承されなければならない。
しかし、このようにして設定された情報の情報量は、一般に、膨大である。
したがって、新たなサービスに対する効率的な適応は、既存のデータベースの内容の変換を含む作業に多くのコストを要し、かつ集中局５０、ローカル監視制御局６１-C、伝送装置５８-C1、５８-C2の運転の中断を伴うことなく、迅速に達成することができない可能性が高かった。
【００２８】
本発明は、構成が大幅に変更されることなく、通信網の構成、その通信網を介して提供されるべき多様なサービスの形態とこれらの構成および形態の変更とに対して柔軟に、かつ迅速に適応できる網管理装置を提供することを目的とする。
【００２９】
【課題を解決するための手段】
図１は、請求項１〜３に記載の発明の原理ブロック図である。
【００３０】
請求項１に記載の発明は、通信網１０を構成するノード１１-1〜１１-Pの個々の保守、運用、監視および制御の全てもしくは一部に適用されるべき情報が登録されたデータベース１２と、データベース１２を構成する単一または複数のレコードからなる集合毎に、対応するレコードとそのレコードに含まれる個々のフィールドとを直接あるいは間接的に示すアドレッシング情報が予め登録された副データベース１３と、副データベース１３を構成するレコードの内、所定のフィールドの値が保守、運用、監視および制御の全てもしくは一部の対象となるべき資源の属性に対応したレコードに含まれ、その資源に対応するフィールドの値として与えられるアドレッシング情報を取得し、このアドレッシング情報で示されるデータベース１２のレコードおよびフィールドの参照を伴う処理を通信網１０の管理として行う管理手段１４とを備えたことを特徴とする。
【００３１】
請求項２に記載の発明は、請求項１に記載の網管理装置において、データベース１２は、通信網１０を構成する複数Ｎのレイヤの全てまたは一部に個別に対応した複数ｎのデータベース１２-1〜１２-nとして構成され、副データベース１３は、複数ｎのレイヤに個別に対応した複数ｎの副データベース１３-1〜１３-nとして構成され、管理手段１４は、複数ｎのレイヤの内、保守、運用、監視および制御の全てもしくは一部の対象となる個々のレイヤに対応したデータベースおよび副データベースを参照することを特徴とする。
【００３２】
請求項３に記載の発明は、請求項１または請求項２に記載の網管理装置において、副データベース１３には、データベース１２を構成するレコードの内、アドレッシング情報の全てあるいは一部で示されるレコードの何れかのフィールドに格納される情報の正否の判別に適用されるべき基準が登録され、管理手段１４は、参照したフィールドと、そのフィールドを含むレコードとに対応して副データベース１３に登録された基準に基づいてこのフィールドの値の正否を判別  し、この判別の結果に適応した処理を行うことを特徴とする。
【００３３】
付記４に記載の発明は、付記１ないし付記３の何れか１項に記載の網管理装置において、副データベース１３には、アドレッシング情報として、これらのアドレッシング情報で個別に示されるデータベース１２のレコードとフィールドとを示すポインタが予め格納されたことを特徴とする。
付記５に記載の発明は、付記１ないし付記３の何れか１項に記載の網管理装置において、副データベース１３には、データベース１２を構成するレコードの内、個々のアドレッシング情報で示されるレコードの対応するフィールドの語長が予め格納され、管理手段１４は、副データベース１３を構成するフィールドの内、データベース１２の対応するフィールドのポインタが既知であるフィールドと、取得されたアドレッシング情報を与えるフィールドとの間に介在するフィールドに格納された語長を積算し、その結果とこのポインタとの和で示されるデータベース１２のフィールドを参照の対象とすることを特徴とする。
【００３４】
付記６に記載の発明は、付記１ないし付記３の何れか１項に記載の網管理装置において、副データベース１３には、データベース１２を構成するレコードの内、個々のアドレッシング情報で示されるレコードの全てあるいは一部のフィールドに格納されたユニークな語が予め格納され、管理手段１４は、データベース１２を構成するフィールドの内、取得されたアドレッシング情報として与えられる語が格納されたフィールド、あるいはそのフィールドに対する相対的な配置が既知であるフィールドを参照の対象とすることを特徴とする。
【００３５】
付記７に記載の発明は、付記１ないし付記６の何れか１項に記載の網管理装置において、データベース１２を構成するフィールドの全てあるいは一部と、これらのフィールドに個別に対応し、かつ副データベース１３を構成するフィールドとの双方あるいは何れか一方には、そのデータベース１２の対応するフィールドに格納されるべき値の識別子が予め格納され、管理手段１４は、識別子を処理の過程で参照することを特徴とする。
【００３６】
付記８に記載の発明は、付記７に記載の網管理装置において、副データベース１３には、個々の識別子とその識別子に対応するアドレッシング情報とが異なるフィールドの値として格納されたことを特徴とする。
付記９に記載の発明は、付記１に記載の網管理装置において、データベース１２には、通信網１０を構成する複数Ｎのレイヤに対応した情報が単一のレコードとして登録されたことを特徴とする。
【００３７】
付記１０に記載の発明は、付記１ないし付記９の何れか１項に記載の網管理装置において、データベース１２と副データベース１３とを構成する個々のフィールドに対するフィールド値の設定にかかわるマンマシンインタフェースをとるマンマシンインタフェース手段１５を備えたことを特徴とする。
請求項１に記載の網管理装置では、管理手段１４は、副データベース１３を構成するレコードの内、所定のフィールドの値が通信網１０を構成するノード１１-1〜１１-Pの保守、運用、監視および制御の全てもしくは一部の対象となるべき資源の属性に対応したレコードに含まれ、その資源に対応するフィールドの値として与えられるアドレッシング情報を取得する。さらに、管理手段１４は、そのアドレッシング情報で示されるデータベース１２のレコードおよびフィールドの参照を伴う処理を通信網１０の管理として行う。
【００３８】
すなわち、データベース１２に登録されるべき情報の組み合わせおよび配置と、これらの情報の内、上述した処理の過程で参照されるべき情報とは、副データベース１３に予め格納されたアドレッシング情報の値および順列として定義され、そのアドレッシング情報に基づいて間接的に特定される。
したがって、ノード１１-1〜１１-Pが通信網１０を介して提供すべきサービスの形態の変更は、データベース１２に登録されるべき情報の項目が追加され、あるいは変更されなければならない場合であっても、柔軟に、かつ効率的に達成され、さらに、既存の資源である情報は複雑な作業や処理を伴うことなく継承される。
【００３９】
請求項２に記載の網管理装置では、データベース１２は通信網１０を構成する複数Ｎのレイヤの全てまたは一部に個別に対応した複数ｎのデータベース１２-1〜１２-nとして構成され、かつ副データベース１３は複数ｎのレイヤに個別に対応した複数ｎの副データベース１３-1〜１３-nとして構成される。管理手段１４は、これらの複数ｎのレイヤの内、ノード１１-1〜１１-Pの保守、運用、監視および制御の全てもしくは一部の対象となる個々のレイヤに対応したデータベースおよび副データベースを参照する。
【００４０】
すなわち、ノード１１-1〜１１-Pが通信網１０の構成に適応して階層的に構成される場合であっても、個々のレイヤに属する資源とその資源の構成との相違に柔軟に適応した形態で保守、運用、監視および制御が実現される。
請求項３に記載の網管理装置では、管理手段１４は、参照したデータベース１２のフィールドと、そのフィールドを含むレコードとに対応して副データベース１３に登録された基準に基づいてこのフィールドの値の正否を判別し、この判別の結果に適応した処理を行う。
【００４１】
このような処理は参照されたフィールドの値が正しいことが確認されつつ行われるので、そのフィールドの値が正しくないために発生し得る障害の回避が可能となる。
付記４に記載の網管理装置では、副データベース１３に格納されたアドレッシング情報は、そのアドレッシング情報で示されるデータベース１２のレコードとフィールドとを示すポインタとして与えられる。
【００４２】
すなわち、管理手段１４は、データベース１２に登録され、かつ参照されるべきフィールドをこのポインタを直接アドレス、あるいは規定の相対アドレスとして特定することができる。
【００４３】
したがって、データベース１２に対するアドレッシングが簡略化され、かつノード１１-1〜１１-Pの保守、運用、監視および制御にかかわる処理の効率が高められる。
付記５に記載の網管理装置では、管理手段１４は、副データベース１３を構成するフィールドの内、データベース１２の対応するフィールドのポインタが既知であるフィールドと、取得されたアドレッシング情報を与えるフィールドとの間に介在するフィールドに格納された語長を積算し、その結果とこのポインタとの和で示されるデータベース１２のフィールドを参照の対象とする。
【００４４】
すなわち、管理手段１４は、データベース１２のフィールドの内、参照すべきフィールドを直接あるいは間接的に示すポインタが副データベース１３に格納されていなくても、その参照すべきフィールドをこれらのフィールドの値の正否の判別に適用されるべき基準に該当する語長に基づいて特定することができる。
したがって、管理手段１４の処理量に余裕がある限り、副データベース１３に予め登録されるべき情報の情報量は小さな値に制限される。
【００４５】
付記６に記載の網管理装置では、管理手段１４は、データベース１２を構成するフィールドの内、アドレッシング情報として取得されたユニークな語が格納されたフィールド、あるいはそのフィールドに対する相対的な配置が既知であるフィールドを参照の対象とする。
すなわち、管理手段１４は、データベース１２のフィールドの内、参照すべきフィールドを直接あるいは間接的に示すポインタが副データベース１３に格納されていなくても、その参照すべきフィールドを特定することができる。
【００４６】
したがって、管理手段１４の処理量に余裕があり、かつ上述したユニークな語の語長が許容される程度に小さい限り、副データベース１３に予め登録されるべき情報の情報量は小さな値に制限される。
【００４７】
付記７に記載の網管理装置では、データベース１２を構成するフィールドの全てあるいは一部と、これらのフィールドに個別に対応し、かつ副データベース１３を構成するフィールドとの双方あるいは何れか一方には、そのデータベース１２の対応するフィールドに格納されるべき値の識別子が予め格納される。管理手段１４は、その識別子を処理の過程で参照する。
【００４８】
すなわち、このような処理の過程では、管理手段１４は、副データベース１３とデータベース１２との間に形成されたリレーションを辿ることなく、そのデータベース１２に含まれる所望のフィールドを特定し、あるいは副データベース１３を参照している過程であってもこのようなフィールドの項目を確認することができる。
【００４９】
したがって、データベース１２の参照にかかわる処理の効率化が可能となる。付記８に記載の網管理装置では、個々の識別子とその識別子に対応するアドレッシング情報とが副データベース１３に異なるフィールドの値として格納されるので、これらのフィールドの配置が規定の情報として定義される限り、併合されたアドレッシング情報と識別子とを分離する演算が行われることなく、データベース１２の所望のフィールドの参照が実現される。
【００５０】
付記９に記載の網管理装置では、通信網１０を構成する複数Ｎのレイヤに対応した情報がデータベース１２に単一のレコードとして登録されるので、副データベース１３を併せて参照することによってこのデータベース１２を参照するために行われる処理の処理量が許容される程度に小さい限り、処理の効率化が図られる。
【００５１】
付記１０に記載の網管理装置では、マンマシンインタフェース手段１５は、データベース１２と副データベース１３とを構成する個々のフィールドに対するフィールド値の設定にかかわるマンマシンインタフェースをとる。
【００５２】
すなわち、ノード１１-1〜１１-Pの保守、運用、監視および制御の過程で参照されるべき情報は、データベース１２と副データベース１３との間に形成されるべきリレーションが再構築されることなく、これらのデータベースに設定される。
したがって、ノード１１-1〜１１-Pの保守、運用、監視および制御に携わる者のニーズに対する柔軟な適応が可能となる。
【００５３】
【発明の実施の形態】
以下、図面に基づいて本発明の実施形態について詳細に説明する。
以下に既述する全ての実施形態のハードウエアの構成については、図７に示す従来例と同じであるので、ここでは、その説明を省略する。
本実施形態と従来例との構成の相違点は、下記の点(1)、(2)にある。
【００５４】
(1) 図２に示すように、以下の各データベースおよびテーブルがデータベース５５として備えられる。
・  区間情報データベース５５Ｓ、収容情報データベース５５Ａにそれぞれ代わる区間情報データベース５５Ｓｒ、収容情報データベース５５Ａｒ
・  これらの区間情報データベース５５Ｓｒおよび収容情報データベース５５Ａｒとそれぞれ対をなす装置情報項目テーブル４１および収容情報項目テーブル４２
(2) 図３に示すように、ＨＣＩタスクおよびネットワーク管理タスクに併せて、後述するデータベース管理タスクからなるタスクの集合として構成されるソフトウエアが網管理装置５４に組み込まれる。
【００５５】
なお、図３において、従来例と同様の処理として行われるタスクの起動およびメッセージ等の引き渡しについては、図９に示す番号と同じ番号を付与して示すこととする。
区間情報データベース５５Ｓｒと区間情報データベース５５Ｓとの構成の相違点は、図２(b) と図８(b) との対比として示されるように、何れのレコードについても下記の通りである。
【００５６】
・  「ＩＤ番号」フィールドと「始／終端区分」フィールド以外の全てのフィールド（以下、これらのフィールドの集合を「装置情報フィールド群」という。）に個別に格納されるべき情報（値）とその形式とは、後述するように、装置情報項目テーブル４１の所定のレコードおよびフィールドに設定された「装置項目定義」の値に基づいて定義される。
【００５７】
・  「装置情報フィールド群」の何れのフィールドについても、上記の「装置項目定義」に基づく物理的なアドレッシングの下で参照が可能である。
収容情報データベース５５Ａｒと収容情報データベース５５Ａとの構成の相違点は、図２(c) と図８(c) の対比として示されるように、何れのレコードついても下記の通りである。
【００５８】
・  「ＩＤ番号」フィールド、「接続順」フィールドおよび「収容先ＩＤ」フィールド以外の全てのフィールド（以下、これらのフィールドの集合を「収容情報フィールド群」という。）に個別に格納されるべき情報（値）とその形式とは、後述するように、収容情報項目テーブル４２の所定のレコードおよびフィールドに設定された「収容項目定義」の値に基づいて定義される。
【００５９】
・  「収容情報フィールド群」の何れのフィールドについても、上記の「収容項目定義」に基づく物理的なアドレッシングの下で参照が可能である。
装置情報項目テーブル４１は、図２(b) に示すように、下記のフィールドからなるレコードの集合として構成される。
・  「装置種別」フィールド
・  「高／低区分」フィールド
・  「ＩＦ種別」フィールド
・  「伝送方式」フィールド
・  区間情報データベース５５Ｓのフィールドの内、上記の４つのフィールド以外の各フィールドに対応し、かつ値としてこれらのフィールドのそれぞれに格納されるべき項目（「設置局」〜「ＨＷ番号」）の識別子である「項目名」が値として設定されたフィールド（以下、これらのフィールドの集合を「装置項目定義フィールド群」という。）
なお、上述した「装置種別」フィールド、「高／低区分」フィールドおよび「ＩＦ種別」フィールドに格納されるべき値については、従来例において区間情報データベース５５Ｓの同様のフィールドに設定されるべき値と同じであるので、ここでは、その詳細な説明を省略する。
【００６０】
また、「伝送方式」フィールドに格納されるべき値については、従来例においてパス名称データベース５５Ｎの同様のフィールドに設定されるべき値と同じであるので、ここでは、その詳細な説明を省略する。
収容情報項目テーブル４２は、下記のフィールドからなるレコードの収容として構成される。
【００６１】
・  「伝送方式」フィールド
・  「上位伝送方式」フィールド
・  収容情報データベース５５Ａのフィールドの内、「ＩＤ番号」フィールド以外の各フィールドに対応し、かつ値としてこれらのフィールドのそれぞれに格納されるべき項目（「接続順」〜「ＴＵ番号」）の識別子である「項目名」が値として設定されたフィールド（以下、このようなフィールドの集合を「収容項目定義フィールド群」という。）
なお、上述した「伝送方式」フィールドおよび「上位伝送方式」フィールドに格納されるべき値については、従来例においてパス名称データベース５５Ｎのレコードの内、対応する２つのレコードの「伝送方式」フィールドに設定されるべき値と同じであるので、ここでは、その詳細な説明を省略する。
【００６２】
図４は、本実施形態におけるネットワーク管理タスクの動作フローチャートである。
図５は、本実施形態におけるデータベース管理タスクの動作フローチャートである。
以下、図２〜図５、図７および図８を参照して、請求項１、２に対応した第一の実施形態の動作を説明する。
【００６３】
本実施形態の特徴は、集中局５０において網管理装置５４が行う処理の内、データベース５５として備えられたパス名称データベース５５Ｎ、区間情報データベース５５Ｓｒおよび収容情報データベース５５Ａｒを参照するために行う下記の処理の手順にある。
また、以下では、このような処理以外の処理については、網管理装置５４、集中監視装置５２、集中制御装置５３、ローカル監視装置５９-C、ローカル制御装置６０-C、伝送装置５８-C1、５８-C2の何れによって行われる処理であっても、起動されるべき要因、演算対象および処理手順が従来例と同じであるので、説明を省略することとする。
【００６４】
網管理装置５４では、ネットワーク管理タスクは、下記の項目がＨＣＩタスクによって引き渡され（図３(2))、もしくは起動要因としてオペレーティングシステムによって与えられ（図３(3))、または、これらの項目を所定の処理手順に基づいて生成すると、プロセス間通信を利用することによって、データベース管理タスク宛にこれらの項目を引き渡す（図３(a)、図４(1))。
【００６５】
・  パス名称データベース５５Ｎ、区間情報データベース５５Ｓｒ、収容情報データベース５５Ａｒの内、参照されるべきデータベースの組み合わせ
・  その組み合わせに属する個々のデータベースのレコードの内、参照されるべきレコードおよびフィールドの識別子（以下、それぞれ「レコードポインタ」および「フィールド識別子」という。）の列
・  これらのフィールドに対して行われるべき参照の形態（「読み出し」、「書き込み」、「更新」等々）
・  これらのフィールドの内、参照の形態が「書き込み」あるいは「更新」である個々のフィールドに新たに設定されるべき値（以下、「更新値」という。）の列
データベース管理タスクは、これらの項目が引き渡されると、参照の対象となるべきデータベース毎に下記の処理を行う。
【００６６】
(a) パス名称データベース５５Ｎについては、下記の通りに参照を行う。
i)  パス名称データベース５５Ｎのレコードの内、対応する「レコードポインタ」で示されるレコードに含まれ、その「レコードポインタ」と対をなす個々の「フィールド識別子」で示されるフィールドを参照する（図３(b)、図５    (1))。
【００６７】
ii) 参照の形態が「書き込み」あるいは「更新」である場合には、この参照の形態に対応する「更新値」を適用して該当するフィールドの値を書き換える。
(b) 区間情報データベース５５Ｓｒについては、下記の手順に基づいて参照する。
【００６８】
i)  区間情報データベース５５Ｓｒのレコードの内、対応する「レコードポインタ」で示されるレコード（以下、「特定区間情報レコード」という。）を特定する（図５(2))。
ii) 装置情報項目テーブル４１のレコードの内、所望のサービス管理、ネットワーク管理および網オペレーションの形態および手順に基づいて定まる値の組み合わせに、「装置種別」フィールド、「高／低区分」フィールド、「ＩＦ種別」フィールドおよび「伝送方式」フィールドの全てあるいは一部の値の組み合わせが整合するレコード（以下、「特定装置項目レコード」という。）を特定する（図５(3))。
【００６９】
iii)「特定区間情報レコード」に含まれる「装置情報フィールド群」に属するフィールドの内、「特定装置項目レコード」に含まれる「装置項目定義フィールド群」に属し、かつ値が上述した「フィールド識別子」に等しいフィールドに対応するフィールドを参照する（図３(c)、図５(4))。
なお、これらのフィールドに格納されるべき情報の語長および形式（数値である場合にはその数値の値域を含む。）については、ここでは、対応する「フィールド識別子」に対して一義的に定まる既知の情報として与えられると仮定する。
【００７０】
また、「装置情報フィールド群」に属するフィールドの順列と「装置項目定義フィールド群」に属するフィールドの順列との対応関係は、ここでは、簡単のため、フィールド単位に既知であると仮定する。
iv) 参照の形態が「書き込み」あるいは「更新」である場合には、この参照の形態に対応する「更新値」を適用して該当するフィールドの値を書き換える。
【００７１】
(c) 収容情報データベース５５Ａｒについては、下記の手順に基づいて参照する。
i)  収容情報データベース５５Ａｒのレコードの内、対応する「レコードポインタ」で示されるレコード（以下、「特定収容情報レコード」という。）を特定する（図５(5))。
【００７２】
ii) 収容情報項目テーブル４２のレコードの内、所望のサービス管理、ネットワーク管理および網オペレーションの形態および手順に基づいて定まる値の組み合わせに、「伝送方式」フィールドと「上位伝送方式」フィールドとの双方あるいは何れか一方の値が整合するレコード（以下、「特定収容項目レコード」という。）を特定する（図５(6))。
【００７３】
iii)「特定収容情報レコード」に含まれる「収容情報フィールド群」に属するフィールドの内、「特定収容項目レコード」に含まれる「収容項目定義フィールド群」に属し、かつ値が上述した「フィールド識別子」に等しいフィールドに対応するフィールドを参照する（図３(d)、図５(7))。
【００７４】
なお、これらのフィールドに格納されるべき情報の語長および形式（数値である場合にはその数値の値域を含む。）については、ここでは、対応する「フィールド識別子」に対して一義的に定まる既知の情報として与えられると仮定する。
また、「収容情報フィールド群」に属するフィールドの順列と「収容項目定義フィールド群」に属するフィールドの順列との対応関係は、ここでは、簡単のため、フィールド単位に既知であると仮定する。
【００７５】
iv) 参照の形態が「書き込み」あるいは「更新」である場合には、この参照の形態に対応する「更新値」を適用して該当するフィールドの値を書き換える。
なお、装置情報項目テーブル４１および収容情報項目テーブル４２を参照するためにデータベース管理タスクによって行われる処理については、これらの装置情報項目テーブル４１および収容情報項目テーブル４２が既知のデータベースに等価である限り、多様な公知の技術が適用されることによって達成され、かつ本願発明の特徴ではないので、ここでは、その説明を省略する。
【００７６】
また、データベース管理タスクは、上述した処理(a)〜(c)の内、既述の通りに引き渡された項目に適応した処理の全てを完了すると、網管理装置５４を構成する資源であるプロセッサをオペレーティングシステムに引き渡す（図５(8))。
オペレーティングシステムは、予め決められた形態（例えば、メールボックス、セマフォア等）でネットワーク管理タスクにその旨を示す通知を与える（図３(e))。
【００７７】
ネットワーク管理タスクは、この通知を識別すると従来例と同様に所定の手順に基づいて処理を続行する（図４(2))。
すなわち、区間情報データベース５５Ｓｒの各レコードに含まれる「装置情報フィールド群」に属するフィールドと、収容情報データベース５５Ａｒの各レコードに含まれる「収容情報フィールド群」に属するフィールドとは、それぞれ装置情報項目テーブル４１の対応するレコードに含まれる「装置項目定義フィールド群」と、収容情報項目テーブル４２の対応するレコードに含まれる「収容項目定義フィールド群」とに予め登録された項目名の情報が格納されるべきフィールドとして参照される。
【００７８】
このように本実施形態によれば、図１１に示すように、新たな伝送方式やサービスの形態に適応するために、区間情報データベース５５Ｓｒ（収容情報データベース５５Ａｒについても同様）に従来無かった新たな項目の情報が登録されるべき場合には、例えば、図２に網掛けを付して示すように、「装置項目定義フィールド群」に属する所望のフィールドにその新たな項目を示す「項目名」が登録されることによって、既存のデータベースの基本的な構成と、ネットワーク管理タスクによって行われるべき処理の手順とが共に大幅に変更されることなく、柔軟な対応が可能となる。
【００７９】
したがって、区間情報データベース５５Ｓｒや収容情報データベース５５Ａｒに先行して蓄積されていた資源である情報は、上述した新たな伝送方式やサービスの形態に対する適応に際して効率的に、かつ安価に継承される。
さらに、通信網の監視・制御および保守・運用を実現する処理の標準化に併せて、ランニングコストの削減および信頼性の向上とが総合的に図られる。
【００８０】
以下、請求項１、２に記載の発明に対応した第二の実施形態について説明する。
本実施形態と上述した第一の実施形態との構成の相違点は、図２(a)、(c)に示すように区間情報データベース５５Ｓｒに代えて区間情報データベース４３が備えられ、かつ収容情報データベース５５Ａｒに代えて収容情報データベース４４が備えられた点にある。
【００８１】
区間情報データベース４３と区間情報データベース５５Ｓｒとの相違点は、図２(a) に点線で示すように、「下記の項目がそれぞれ格納されるべき２つのフィールドの対」として、「装置情報フィールド群」に属する個々のフィールドが構成された点にある。
・  既述の「項目名」
・  この「項目名」に対応したフィールドに格納されるべき値
収容情報データベース４４と収容情報データベース５５Ａｒとの相違点は、図２(c) に点線で示すように、「下記の項目がそれぞれ格納されるべき２つのフィールドの対」として、「収容情報フィールド群」に属する個々のフィールドが構成された点にある。
【００８２】
・  既述の「項目名」
・  この「項目名」に対応したフィールドに格納されるべき値
以下、図３および図７を参照して本実施形態の動作を説明する。
本実施形態の特徴は、データベース管理タスクが行う下記の処理の手順にある。
【００８３】
データベース管理タスクは、始動時には下記の処理(A)、(B)を行い、かつ区間情報データベース４３の構成と収容情報データベース４４の構成とがそれぞれ更新されたときには処理(A) と処理(B) とを行う。
(A) 装置情報項目テーブル４１の「装置項目定義フィールド群」に属するフィールドに格納された個々の「項目名」に、区間情報データベース４３の「装置情報フィールド群」に属し、かつ対応するフィールドの値を設定する。
【００８４】
(B) 収容情報項目テーブル４２の「収容項目定義フィールド群」に属するフィールドに格納された個々の「項目名」に、収容情報データベース４４の「収容情報フィールド群」に属し、かつ対応するフィールドの値を設定する。
さらに、データベース管理タスクは、区間情報データベース４３を参照するために行う既述の処理(b) iii)に代えて、『「特定区間情報レコード」に含まれる「装置情報フィールド群」に属するフィールドの内、値が「フィールド識別子」に等しいフィールドと対をなすフィールドを参照する（図３(c))処理』を行う。
【００８５】
また、データベース管理タスクは、収容情報データベース４４を参照するために行う既述の処理(c) iii)に代えて、『「特定収容情報レコード」に含まれる「収容情報フィールド群」に属するフィールドの内、値が「フィールド識別子」に等しいフィールドと対をなすフィールドを参照する（図３(d))処理』を行う。
すなわち、区間情報データベース４３と収容情報データベース４４とは、それぞれ装置情報項目テーブル４１と収容情報項目テーブル４２との整合性が担保される限り、これらの装置情報項目テーブル４１と収容情報項目テーブル４２とが参照されることなく効率的に参照される。
【００８６】
したがって、本実施形態によれば、ネットワーク管理タスクがデータベース管理タスクと連係することによって達成されるべき処理の過程で頻繁にデータベース５５が参照される場合であっても、既述の第一の実施形態に比べて応答性が高められ、かつ保守・運用および監視・制御に要するコストの削減が図られる。
以下、請求項３に記載の発明に対応した実施形態について説明する。
【００８７】
本実施形態と上述した請求項１、２に記載の発明に対応した第一の実施形態との構成の相違点は、図６(b)、(d) に示すように、装置情報項目テーブル４１に代えて装置情報項目テーブル４１ｒが備えられ、収容情報項目テーブル４２に代えて収容情報項目テーブル４２ｒが備えられた点にある。
装置情報項目テーブル４１ｒと装置情報項目テーブル４１との相違点は、図６(b) に点線で示すように、「下記の項目がそれぞれ格納されるべき２つのフィールド」の対として、「装置項目定義フィールド群」に属する個々のフィールドが構成された点にある。
【００８８】
・  既述の「項目名」
・  区間情報データベース５５Ｓｒの「装置情報フィールド群」に属するフィールドの内、この「項目名」に対応したフィールドに格納されるべき値の形式や値域を示す「型」
収容情報項目テーブル４２ｒと収容情報項目テーブル４２との相違点は、図６(d) に点線で示すように、「下記の項目がそれぞれ格納されるべき２つのフィールド」の対として、「収容項目定義フィールド群」に属する個々のフィールドが構成された点にある。
【００８９】
・  既述の「項目名」
・  収容情報データベース５５Ａｒの「収容情報フィールド群」に属するフィールドの内、この「項目名」に対応したフィールドに格納されるべき値の形式や値域を示す「型」
以下、図３および図６を参照して本実施形態の動作を説明する。
【００９０】
本実施形態の特徴は、データベース管理タスクが行う下記の処理の手順にある。
データベース管理タスクは、区間情報データベース５５Ｓｒを参照する際には、下記の点を除いて既述の手順(b) i)〜iii)と同様の手順に基づいて処理を行う。
【００９１】
・  「特定装置項目レコード」に含まれる「装置項目定義フィールド群」に属し、かつ値が所望の「フィールド識別子」に等しいフィールドと対をなすと共に、上述した「型」が格納されたフィールドを参照することによって、その「型」を得る。
・  「特定区間情報レコード」に含まれる「装置情報フィールド群」に属するフィールドの内、参照の対象であるフィールドの値（単に読み出された値と、更新され、あるいは書き込まれた値との双方あるいは何れか一方）について、上述した型との整合性を判別する。
【００９２】
・  その判別の結果に応じて、所定の処理（例えば、ネットワーク管理タスクにその旨を通知する処理）を行う。
さらに、データベース管理タスクは、収容情報データベース５５Ａｒを参照する場合には、下記の点を除いて既述の手順(c) i)〜iii)と同様の手順に基づいて処理を行う。
【００９３】
・  「特定収容項目レコード」に含まれる「収容項目定義フィールド群」に属し、かつ値が所望の「フィールド識別子」に等しいフィールドと対をなすと共に、上述した「型」が格納されたフィールドを参照することによって、その「型」を得る。
・  「特定収容情報レコード」に含まれる「収容情報フィールド群」に属するフィールドの内、参照の対象であるフィールドの値（単に読み出された値と、更新され、あるいは書き込まれた値との双方あるいは何れか一方）について、上述した型との整合性を判別する。
【００９４】
・  その判別の結果に応じて、所定の処理（例えば、ネットワーク管理タスクにその旨を通知する処理）を行う。
すなわち、「装置情報フィールド群」と「収容情報フィールド群」とに属する何れのフィールドの値についても、単一の語長や形式のみが適用される場合に比べて、通信網と、その通信網にかかわるサービス管理、ネットワーク管理および網オペレーションの多様な形態とに対する柔軟な適応が可能となる。
【００９５】
なお、上述した各実施形態では、ジャンパやセクションの管理は、パス名称データベース５５Ｎと区間情報データベース５５Ｓｒ(４３)との対に所定の論理演算や集合演算が施されることによって実現され、このようなジャンパセクションの配下に収容されるＶＣパスＶＣ１１、Ｃ１１Ｐの管理は、そのパス名称データベース５５Ｎと収容情報データベース５５Ａｒ(４４)との対に同様に論理演算や集合演算が施されることによって実現されている。
【００９６】
しかし、本発明は、このような構成のデータベースに限定されず、例えば、ジャンパセクションのみが網管理の対象となる場合には、収容情報データベース５５Ａｒ(４４)と収容情報項目テーブル４２とは備えられなくてもよい。
また、上述した各実施形態では、区間情報データベース５５Ｓｒ(４３)と収容情報データベース５５Ａｒ(４４)とが個別のデータベースとして構成されている。
【００９７】
しかし、例えば、装置情報項目テーブル４１と収容情報項目テーブル４２との内容が所定の処理の下で一義的に定まり、これらの装置情報項目テーブル４１と収容情報項目テーブル４２の内容に基づいて間接的に参照されるべきレコードおよびフィールドが効率的に、かつ確実に特定されるならば、区間情報データベース５５Ｓｒ(４３)および収容情報データベース５５Ａｒ(４４)は併合されてもよい。
【００９８】
さらに、上述した各実施形態では、「装置情報フィールド群」と「収容情報フィールド群」とに属するフィールドの内、参照の対象となるべきフィールドは、それぞれ「装置項目定義フィールド群」と「収容項目定義フィールド群」とに属するフィールドの内、所望の「項目名」が格納されたフィールドに対応するフィールドとして特定され、あるいはこれらの「装置情報フィールド群」と「収容情報フィールド群」においてその「項目名」に等しい値が格納されたフィールドと対をなすフィールドとして特定されている。
【００９９】
しかし、本発明はこのような構成のデータベース５５に限定されず、参照されるべきレコードやフィールドは、例えば、下記の何れかが「項目名」に代えて適用されることによって特定されてもよい。
・  参照されるべきレコードやフィールドを直接示すポインタ
・  「装置項目定義フィールド群」と「装置情報フィールド群」とにそれぞれ属するフィールドの対応関係と、「収容情報フィールド群」と「収容項目定義フィールド群」とにそれぞれフィールドの対応関係とが既知の情報として与えられることを前提として、参照されるべきレコードやフィールドを示すポインタの値を積算値として示す個々のフィールドの値の語長
・  「装置項目定義フィールド群」と「収容項目定義フィールド群」とに属し、かつ対応するフィールドとの対応関係が一義的に定まるユニークな語からなるキーワード
さらに、上述した各実施形態では、新同期インタフェース（ＳＤＨ）が適用された専用線を提供する伝送系の監視・制御に本願発明が適用されている。
【０１００】
しかし、本発明は、このような伝送系に限定されず、如何なる信号方式、伝送方式および交換方式が適用された伝送路であっても、専用線や幹線系だけではなく、加入者線を含む多様な伝送区間に同様に適用可能である。
さらに、本発明が適用されるべきレイヤは、このような伝送路の構成に適応するならば、如何なるレイヤであってもよく、かつ既述の区間情報データベース５５Ｓｒ(４３)と収容情報データベース５５Ａｒ(４４)とに相当する複数のデータベースは、３つ以上の所望のレイヤに対応するデータベースとして構成されてもよい。
【０１０１】
また、上述した各実施形態では、本発明に基づいてデータベース５５の参照を実現する処理が既述のデータベース管理タスクとして構成され、かつ標準化が図られている。
しかし、このようなデータベース管理タスクは、例えば、下記の何れの形態のソフトウエアとして実現されてもよい。
【０１０２】
・  データベース５５のアクセスを実現する一連の処理（領域管理を含む。）を主導的に行うファイルシステム（単独のタスクや分散オブジェクトとして構成され、またはオペレーティングシステムに組み込まれてもよい。）
・  ネットワーク管理タスクに組み込まれた手続きその他のモジュール
さらに、本発明は、上述した各実施形態に限定されるものではなく、本発明の範囲において、多様な形態による実施形態が可能であり、かつ構成要素の一部もしくは全てに如何なる改良が施されてもよい。
【０１０３】
（付記１）  通信網１０を構成するノード１１-1〜１１-Pの個々の保守、運用、監視および制御の全てもしくは一部に適用されるべき情報が登録され、または登録されるべきデータベース１２と、
前記データベース１２を構成する単一または複数のレコードからなる集合毎に、対応するレコードとそのレコードに含まれる個々のフィールドとを直接あるいは間接的に示すアドレッシング情報が予め登録された副データベース１３と、
前記副データベース１３を構成するレコードの内、所定のフィールドの値が前記保守、運用、監視および制御の全てもしくは一部の対象となるべき資源の属性に対応したレコードに含まれ、その資源に対応するフィールドの値として与えられるアドレッシング情報を取得し、このアドレッシング情報で示される前記データベース１２のレコードおよびフィールドの参照を伴う処理を前記通信網１０の管理として行う管理手段１４と
を備えたことを特徴とする網管理装置。（１）
（付記２）  付記１に記載の網管理装置において、
データベース１２は、
通信網１０を構成する複数Ｎのレイヤの全てまたは一部に個別に対応した複数ｎのデータベース１２-1〜１２-nとして構成され、
副データベース１３は、
前記複数ｎのレイヤに個別に対応した複数ｎの副データベース１３-1〜１３-nとして構成され、
管理手段１４は、
前記複数ｎのレイヤの内、保守、運用、監視および制御の全てもしくは一部の対象となるべき個々のレイヤに対応したデータベースおよび副データベースを参照する
ことを特徴とする網管理装置。（２）
（付記３）  付記１または付記２に記載の網管理装置において、
副データベース１３には、
データベース１２を構成するレコードの内、アドレッシング情報の全てあるいは一部で示されるレコードの対応するフィールドに格納されるべき情報の正否の判別に適用されるべき基準が登録され、
管理手段１４は、
参照したフィールドと、そのフィールドを含むレコードとに対応して前記副データベース１３に登録された基準に基づいてこのフィールドの値の正否を判別  し、この判別の結果に適応した処理を行う
ことを特徴とする網管理装置。（３）
（付記４）  付記１ないし付記３の何れか１項に記載の網管理装置において、
副データベース１３には、
アドレッシング情報として、これらのアドレッシング情報で個別に示されるデータベース１２のレコードとフィールドとを示すポインタが予め格納されたことを特徴とする網管理装置。
【０１０４】
（付記５）  付記１ないし付記３の何れか１項に記載の網管理装置において、
副データベース１３には、
データベース１２を構成するレコードの内、個々のアドレッシング情報で示されるレコードの対応するフィールドの語長が予め格納され、
管理手段１４は、
前記副データベース１３を構成するフィールドの内、データベース１２の対応するフィールドのポインタが既知であるフィールドと、取得されたアドレッシング情報を与えるフィールドとの間に介在するフィールドに格納された語長を積算し、その結果とこのポインタとの和で示されるデータベース１２のフィールドを参照の対象とする
ことを特徴とする網管理装置。
【０１０５】
（付記６）  付記１ないし付記３の何れか１項に記載の網管理装置において、
副データベース１３には、
データベース１２を構成するレコードの内、個々のアドレッシング情報で示されるレコードの全てあるいは一部のフィールドに格納されたユニークな語が予め格納され、
管理手段１４は、
前記データベース１２を構成するフィールドの内、取得されたアドレッシング情報として与えられる語が格納されたフィールド、あるいはそのフィールドに対する相対的な配置が既知であるフィールドを参照の対象とする
ことを特徴とする網管理装置。
【０１０６】
（付記７）  付記１ないし付記６の何れか１項に記載の網管理装置において、
データベース１２を構成するフィールドの全てあるいは一部と、これらのフィールドに個別に対応し、かつ副データベース１３を構成するフィールドとの双方あるいは何れか一方には、そのデータベース１２の対応するフィールドに格納されるべき値の識別子が予め格納され、
管理手段１４は、
前記識別子を処理の過程で参照する
ことを特徴とする網管理装置。
【０１０７】
（付記８）  付記７に記載の網管理装置において、
副データベース１３には、
個々の識別子とその識別子に対応するアドレッシング情報とが異なるフィールドの値として格納された
ことを特徴とする網管理装置。
【０１０８】
（付記９）  付記１に記載の網管理装置において、
データベース１２には、
通信網１０を構成する複数Ｎのレイヤに対応した情報が単一のレコードとして登録された
ことを特徴とする網管理装置。
【０１０９】
（付記１０）  付記１ないし付記９の何れか１項に記載の網管理装置において、
データベース１２と副データベース１３とを構成する個々のフィールドに対するフィールド値の設定にかかわるマンマシンインタフェースをとるマンマシンインタフェース手段１５を備えた
ことを特徴とする網管理装置。
【０１１０】
【発明の効果】
上述したように請求項１に記載の発明では、通信網を介して提供されるべきサービスの形態の変更は、データベースに登録されるべき情報の項目が追加され、あるいは変更されなければならない場合であっても、柔軟に、かつ効率的に達成され、さらに、既存の資源である情報は複雑な作業や処理を伴うことなく継承される。
【０１１１】
請求項２に記載の発明では、ノードが通信網の構成に適応して階層的に構成される場合であっても、個々のレイヤに属する資源とその資源の構成との相違に柔軟に適応した形態で保守、運用、監視および制御が実現される。
請求項３に記載の発明では、ノードの保守、運用、監視および制御を実現する処理はその処理の過程で参照されたフィールドの値が正しいことが確認されつつ行われるので、そのフィールドの値が正しくないために発生し得る障害の回避が可能となる。
【０１１２】
付記４に記載の発明では、データベースに対するアドレッシングが簡略化され、かつノードの保守、運用、監視および制御にかかわる処理の効率が高められる。
付記５に記載の発明では、管理手段の処理量に余裕がある限り、副データベースに予め登録されるべき情報の情報量は小さな値に制限される。
【０１１３】
付記６に記載の発明では、管理手段の処理量に余裕があり、かつ上述したユニークな語の語長が許容される程度に小さい限り、副データベースに予め登録されるべき情報の情報量は小さな値に制限される。
【０１１４】
付記７に記載の発明では、データベースの参照にかかわる処理の効率化が可能となる。
付記８に記載の発明では、副データベースのフィールドの配置が規定の情報として定義される限り、併合されたアドレッシング情報と識別子とを分離する演算が行われることなく、データベースの所望のフィールドの参照が実現される。
【０１１５】
付記９に記載の発明では、副データベースを併せて参照することによってデータベースを参照するために行われる処理の処理量が許容される程度に小さい限り、処理の効率化が図られる。
付記１０に記載の発明では、ノードの保守、運用、監視および制御に携わる者のニーズに対する柔軟な適応が可能となる。
【０１１６】
したがって、これらの発明が適用された伝送系や通信網では、仕様の変更と多様なサービスの提供とを可能とする高い柔軟性が確保され、サービス品質に併せて、総合的な信頼性が高められる。
【図面の簡単な説明】
【図１】請求項１〜３に記載の発明の原理ブロック図である。
【図２】データベースの構成例を示す図(1) である。
【図３】本実施形態における網管理装置のタスク構成図である。
【図４】本実施形態におけるネットワーク管理タスクの動作フローチャートである。
【図５】本実施形態におけるデータベース管理タスクの動作フローチャートである。
【図６】データベースの構成例を示す図(2) である。
【図７】網オペレーションを実現する監視制御系の構成例を示す図である。
【図８】従来例におけるデータベースの構成を示す図である。
【図９】従来例のタスク構成図である。
【図１０】通信網の詳細な構成を示す図である。
【図１１】従来例の課題を説明する図である。
【符号の説明】
１０  通信網
１１  ノード
１２  データベース
１３  副データベース
１４  管理手段
１５  マンマシンインタフェース手段
４１，４１ｒ  装置情報項目テーブル
４２，４２ｒ  収容情報項目テーブル
４３，５５Ｓ，５５Ｓｒ  区間情報データベース
４４，５５Ａ，５５Ａｒ  収容情報データベース
５０  集中局
５１  ＬＡＮ
５２  集中監視装置
５３  集中制御装置
５４  網管理装置
５５  データベース
５５Ｎ  パス名称データベース
５６  端末
５７  伝送路
５８，１００  伝送装置
５９  ローカル監視装置
６０  ローカル制御装置
６１  ローカル監視制御局
１０１  ＤＳＵ
【図１】
0004015349.tif 000002
【図２】
0004015349.tif 000003
【図３】
0004015349.tif 000004
【図４】
0004015349.tif 000005
【図５】
0004015349.tif 000006
【図６】
0004015349.tif 000007
【図７】
0004015349.tif 000008
【図８】
0004015349.tif 000009
【図９】
0004015349.tif 000010
【図１０】
0004015349.tif 000011
【図１１】
0004015349.tif 000012